(57)【特許請求の範囲】
【請求項１】
ネットワーク要素によって送信された、第１のアクセスポイント名（ＡＰＮ）情報と国際モバイル加入者識別情報（ＩＭＳＩ）とを運ぶ更新要求メッセージを受信し、
前記ＩＭＳＩに従って、対応するユーザの第２のＡＰＮ情報を取得し、
前記第１のＡＰＮ情報が前記第２のＡＰＮ情報と異なり、かつ、前記対応するユーザが、ワイルドカードＡＰＮに加入している場合、前記第１のＡＰＮ情報に従って、前記対応するユーザのワイルドカードＡＰＮ加入構成を更新すること
を含む、ＡＰＮ加入構成の更新方法。
【請求項２】
前記更新要求メッセージは、パケットデータネットワーク（ＰＤＮ）ゲートウェイ（ＧＷ）情報を更に運び、
前記対応するユーザの前記ワイルドカードＡＰＮ加入構成を更新することは、
前記対応するユーザの前記ワイルドカードＡＰＮ加入構成に、ＡＰＮレコードを追加すること
を含み、前記ＡＰＮレコードが、前記第１のＡＰＮ情報と、前記ＰＤＮ  ＧＷ情報とを含む、請求項１に記載の方法。
【請求項３】
前記対応するユーザの前記ワイルドカードＡＰＮ加入構成を更新することは、
前記対応するユーザの前記ワイルドカードＡＰＮ加入構成がＡＰＮレコードを含むかどうかを判定し、前記ＡＰＮレコードは、前記第１のＡＰＮ情報と、前記第１のＡＰＮに対応するパケットデータネットワーク（ＰＤＮ）ゲートウェイ（ＧＷ）情報とを含み、
前記対応するユーザの前記ワイルドカードＡＰＮ加入構成が前記ＡＰＮレコードを含む場合、前記ワイルドカードＡＰＮ加入構成から、前記ＡＰＮレコードを削除すること
を含む、請求項１に記載の方法。
【請求項４】
前記ネットワーク要素は、モビリティ管理エンティティ（ＭＭＥ）及びサービング汎用パケット無線サービスサポートノード（ＳＧＳＮ）の少なくとも一方であり、前記第１のＡＰＮ情報に従って、前記対応するユーザの前記ワイルドカードＡＰＮ加入構成を更新することの後に、前記方法は、
認証、認可、及び課金（ＡＡＡ）サーバに、前記ワイルドカードＡＰＮ加入構成を運ぶＰｕｓｈ  Ｐｒｏｆｉｌｅ  Ｒｅｑｕｅｓｔ（ＰＰＲ）メッセージを送信すること
を更に含み、前記ＡＰＮ加入構成は、前記第１のＡＰＮ情報と、パケットデータネットワーク（ＰＤＮ）ゲートウェイ（ＧＷ）情報とを含む、請求項１〜３のいずれか１項に記載の方法。
【請求項５】
前記ネットワーク要素は、認証、認可、及び課金（ＡＡＡ）サーバであり、前記第１のＡＰＮ情報に従って、前記対応するユーザの前記ワイルドカードＡＰＮ加入構成を更新することの後に、前記方法は、
モビリティ管理エンティティ（ＭＭＥ）及びサービング汎用パケット無線サービスサポートノード（ＳＧＳＮ）の少なくとも一方に、前記ワイルドカードＡＰＮ加入構成を運ぶＩｎｓｅｒｔ  Ｓｕｂｓｃｒｉｂｅｒ  Ｄａｔａ  Ｒｅｑｕｅｓｔ（ＩＤＲ）メッセージを送信すること
を更に含み、前記ＡＰＮ加入構成は、前記第１のＡＰＮ情報と、パケットデータネットワーク（ＰＤＮ）ゲートウェイ（ＧＷ）情報とを含む、請求項１〜３のいずれか１項に記載の方法。
【請求項６】
前記ネットワーク要素から、前記更新要求メッセージを受信することは、
前記ネットワーク要素からインターワーキング機能（ＩＷＦ）を介して前記更新要求メッセージを受信すること
を含む、請求項１、２、４及び５のいずれか１項に記載の方法。
【請求項７】
ネットワーク要素によって送信された、第１のアクセスポイント名（ＡＰＮ）情報と国際モバイル加入者識別情報（ＩＭＳＩ）とを運ぶ更新要求メッセージを受信するように構成された、受信モジュールと、
前記ＩＭＳＩに従って、対応するユーザの第２のＡＰＮ情報を取得するように構成された、取得モジュールと、
前記第１のＡＰＮ情報が前記第２のＡＰＮ情報と異なり、かつ、前記対応するユーザが、ワイルドカードＡＰＮに加入している場合、前記第１のＡＰＮ情報に従って、前記対応するユーザのワイルドカードＡＰＮ加入構成を更新するように構成された、更新モジュールと
を備える、ＡＰＮ加入構成を更新する装置。
【請求項８】
前記受信モジュールは、パケットデータネットワーク（ＰＤＮ）ゲートウェイ（ＧＷ）情報を受信するように更に構成され、前記更新モジュールは、
前記対応するユーザの前記ワイルドカードＡＰＮ加入構成を取得するように構成された、取得サブモジュールと、
前記ＡＰＮ加入構成に、ＡＰＮレコードを追加するように構成された、追加サブモジュールと
を備え、前記ＡＰＮレコードは、前記第１のＡＰＮ情報と、前記ＰＤＮ  ＧＷ情報とを含む、請求項７に記載の装置。
【請求項９】
前記更新モジュールは、
前記第１のＡＰＮ情報が前記第２のＡＰＮ情報と異なり、かつ、前記対応するユーザが、前記ワイルドカードＡＰＮに加入している場合、前記対応するユーザの前記ワイルドカードＡＰＮ加入構成がＡＰＮレコードを含むかどうかを判定するように構成され、前記ＡＰＮレコードは、前記第１のＡＰＮ情報とパケットデータネットワーク（ＰＤＮ）ゲートウェイ（ＧＷ）情報とを含む、判定サブモジュールと、
前記判定サブモジュールが、前記ワイルドカードＡＰＮ加入構成が前記ＡＰＮレコードを含むと判断した場合、前記ワイルドカードＡＰＮ加入構成から、前記ＡＰＮレコードを削除するように構成された、削除サブモジュールと、
を備える、請求項７に記載の装置。
【請求項１０】
モビリティ管理エンティティ（ＭＭＥ）及びサービング汎用パケット無線サービスサポートノード（ＳＧＳＮ）の少なくとも一方に、前記ＡＰＮ加入構成を運ぶＩｎｓｅｒｔ  Ｓｕｂｓｃｒｉｂｅｒ  Ｄａｔａ  Ｒｅｑｕｅｓｔ（ＩＤＲ）メッセージを送信するように構成された、第１の送信モジュールと、
を更に備え、前記ＡＰＮ加入構成は、前記第１のＡＰＮ情報と、パケットデータネットワーク（ＰＤＮ）ゲートウェイ（ＧＷ）情報とを含む、請求項７〜９のいずれか１項に記載の装置。
【請求項１１】
認証、認可、及び課金（ＡＡＡ）サーバに、前記ＡＰＮ加入構成を運ぶＰｕｓｈ  Ｐｒｏｆｉｌｅ  Ｒｅｑｕｅｓｔ（ＰＰＲ）メッセージを送信するように構成された、第２の送信モジュールと、
を更に備え、前記ＡＰＮ加入構成は、前記第１のＡＰＮ情報と、パケットデータネットワーク（ＰＤＮ）ゲートウェイ（ＧＷ）情報とを含む、請求項７〜９のいずれか１項に記載の装置。
【請求項１２】
前記受信モジュールは、前記ネットワーク要素から、インターワーキング機能（ＩＷＦ）を介して、前記更新要求メッセージを受信するように構成される、請求項７、８、１０及び１１のいずれか１項に記載の装置。
【発明の詳細な説明】
【技術分野】
【０００１】
本出願は、２００９年１月２３日に中国専利局に出願された、「ＡＰＮ加入構成の更新方法及び装置」と題された、中国特許出願第２００９１０００１１６６．４号の優先権を主張するものであり、当該出願はその全体が参照により本明細書中に援用される。
【０００２】
本発明は、通信技術に関し、特に、アクセスポイント名（ＡＰＮ）加入構成（ｓｕｂｓｃｒｉｐｔｉｏｎ  ｃｏｎｆｉｇｕｒａｔｉｏｎ）を更新（アップデート）する方法及び装置に関する。
【背景技術】
【０００３】
発展型パケットシステム（ＥＰＳ）は、制御プレーンモビリティ管理に関与する、モビリティ管理エンティティ（ＭＭＥ）を含むことができる。ＭＭＥは、ユーザコンテキスト及びモビリティ状態を管理し、ユーザに一時識別情報を割り当てる。ホーム加入者サーバ（ＨＳＳ）は、加入情報を記憶するための、ホームネットワークサーバ、及び／又はホームロケーションレジスタ（ＨＬＲ）を含んでもよい。パケットデータネットワーク（ＰＤＮ）ゲートウェイ（ＧＷ）は、第３世代パートナーシッププロジェクト（３ＧＰＰ）アクセスシステムと非３ＧＰＰアクセスシステムとの間のユーザプレーンアンカーであり、外部ＰＤＮへのインタフェースを終端させる。ＥＰＳのコアネットワークは、３ＧＰＰアクセス技術に基づくユーザ装置（ＵＥ）にとって、及び、無線ローカルエリアネットワーク（ＷＬＡＮ）、符号分割多元接続（ＣＤＭＡ）、及びワールドワイド・インターオペラビリティ・フォー・マイクロウェーブ・アクセス（ＷｉＭＡＸ）などの、非３ＧＰＰアクセス技術に基づくＵＥにとって、アクセス可能である。非３ＧＰＰアクセス技術に基づくＵＥは、３ＧＰＰ認証、認可、及び課金（ＡＡＡ）サーバによって認証及び認可される。ＡＡＡサーバは非３ＧＰＰ  ＵＥから、要求を受信し、ＨＳＳから加入者データを取得する。ＡＡＡサーバがＵＥを正常に認証及び認可した後、ＵＥは、サービスを利用するためにＥＰＳネットワークにアクセスすることを許可される。
【０００４】
ＥＰＳ内で、ネットワークは、ＵＥによって開始された、ＡＰＮ向きのＰＤＮ接続（ＡＰＮ−ｏｒｉｅｎｔｅｄ  ＰＤＮ  ｃｏｎｎｅｃｔｉｏｎ）に、ＰＤＮ  ＧＷを割り当てる。ＰＤＮ  ＧＷに関する情報は、静的に登録されてもよく、又は動的に生成されてもよく、ＨＳＳ内に記憶される。ＰＤＮ  ＧＷ情報は、ＵＥが３ＧＰＰアクセスから非３ＧＰＰアクセスに引き続き切り替える場合、又はその逆の場合の、シグナリング及びベアラスイッチングアンカー（ｓｉｇｎａｌｉｎｇ  ａｎｄ  ｂｅａｒｅｒ  ｓｗｉｔｃｈｉｎｇ  ａｎｃｈｏｒ）を提供する。動的に生成されるＰＤＮ  ＧＷ情報が変化した場合、ネットワーク要素は、記憶されたＰＤＮ  ＧＷ情報を更新するようＨＳＳをトリガする。ＨＳＳのユーザは、ワイルドカードＡＰＮ（その値は「＊」である）に加入してもよい。ワイルドカードＡＰＮは、ユーザが、所与のＰＤＮタイプ（ＩＰｖ４、ＩＰｖ６、又はＩＰｖ４−ＩＰｖ６など）を使用することによって、任意のネットワークにアクセスすることを可能にする。ワイルドカードＡＰＮは、「＊」として表される。
【０００５】
特別なシナリオでは、例えば、ユーザがワイルドカードＡＰＮに加入している場合、ＵＥがネットワークにアクセスする際に、ネットワーク要素は、ＵＥからの要求内のＡＰＮ情報に従って、又は、ネットワーク構成に従って、ユーザのための特定のＡＰＮを選択し、ＡＰＮアクセスのための特定のＰＤＮ  ＧＷを割り当てて、ＰＤＮ接続をセットアップする。ＵＥがサービスを利用するために（複数のＡＰＮを介して）複数のＰＤＮに同時にアクセスすることをネットワークが許可する場合、ネットワークはＵＥによってアクセスされるＰＤＮ（又はＡＰＮ）に従って、異なるＰＤＮ  ＧＷを選択してもよい。ＵＥによってアクセスされるＡＰＮと、対応するＰＤＮ  ＧＷ情報とは、ＨＳＳ内に記憶され、他のネットワーク要素上の対応する情報を更新するために使用される必要がある。従来技術では、ＨＳＳが、ＭＭＥ、サービングＧＰＲＳサポートノード（ＳＧＳＮ）（ここで、ＧＰＲＳは、Ｇｅｎｅｒａｌ  Ｐａｃｋｅｔ  Ｒａｄｉｏ  Ｓｅｒｖｉｃｅ（汎用パケット無線サービス）の略称である）、及び／又はＡＡＡサーバから、関連するＡＰＮ情報及びＰＤＮ  ＧＷ情報を受信した後、ＨＳＳはＡＰＮ加入（登録）レコードを動的に作成し、新たなＡＰＮ加入レコードに従って、他の関連するネットワーク要素上の対応する情報を、同期して更新する。一方で、ＨＳＳは、ＡＰＮ加入レコードに特別な印を付けて、それを静的に登録されたＡＰＮ加入レコードとは異なるようにし、続いてＵＥがＡＰＮから切断されるか又はネットワークから切り離された後、ＡＰＮ加入レコードは好都合に削除されることが可能である。ＵＥがＡＰＮから切断されるか又はネットワークから切り離された後、ＭＭＥ、ＳＧＳＮ、及び／又はＡＡＡサーバは、ＨＳＳに、ＡＰＮ加入レコードに対応するＰＤＮ  ＧＷを削除するよう通知する。ＨＳＳは、このＡＰＮ加入レコードを削除し、他のネットワーク要素内のＡＰＮ加入レコードを同期して削除する。
【発明の概要】
【発明が解決しようとする課題】
【０００６】
前述のプロセスは、ＡＰＮ加入レコードが、ＨＳＳとその他のネットワーク要素（ＭＭＥ、ＳＧＳＮ、及び／又はＡＡＡサーバなど）との間で同期して作成及び削除されることが可能なように、ＨＳＳがＡＰＮ加入レコードを作成する際に、ＡＰＮ加入レコードに特別な印を付ける必要がある、ということを示している。これによりＨＳＳとその他のネットワーク要素との間で、不必要な相互作用が発生する。例えば、ＵＥがＡＰＮから切断された場合、ＭＭＥ及び／又はＳＧＳＮは、ＡＰＮに対応するＰＤＮ  ＧＷ情報の削除を要求するＰＤＮ  ＧＷ更新メッセージを、ＨＳＳに送信する。ＨＳＳは、レコードの作成時に付けられた特別な印に従って、ＡＰＮ加入データを削除し、次に、ＭＭＥ／ＳＧＳＮ上の対応するＡＰＮ加入レコードを削除するために、ＭＭＥ／ＳＧＳＮに、ユーザデータ削除要求メッセージを送信する。従って、ＨＳＳとその他のネットワーク要素との間に、不必要な操作が追加され、ネットワークのデータ伝送性能が低下する。更に、ＡＰＮ加入レコードを作成する際に、ＨＳＳは、ＡＰＮ及びＰＤＮ  ＧＷ情報のみでなく、通常のＡＰＮ加入レコード内に必要とされる情報（例えば、ＰＤＮタイプ、及びコンテキスト識別子）も作成する必要があり、これにより、不必要なオーバヘッドがＨＳＳに追加される。
【課題を解決するための手段】
【０００７】
本発明の実施形態は、ＨＳＳの不必要なオーバヘッドを減少させ、従来技術における以下の問題、即ち、ＨＳＳはＡＰＮ加入構成の動的な作成及び削除に起因して動的に作成されたＡＰＮ加入構成を静的なＡＰＮ加入構成と区別する必要があり、かつ、ＡＰＮ加入構成を他のネットワーク要素と同期させることの結果として、シグナリング相互作用が頻繁に実行されること、を解決するための、ＡＰＮ及びＰＤＮ  ＧＷ情報を記録する方法及び装置を提供する。
【０００８】
このような問題を解決するために、本発明の一実施形態は、ＡＰＮ加入構成の更新方法を提供する。この方法は、
ネットワーク要素によって送信され、第１のＡＰＮ情報と、国際モバイル加入者識別情報（ＩＭＳＩ）とを運ぶ、更新要求メッセージを受信し、
ＩＭＳＩに従って、対応するユーザの第２のＡＰＮ情報を取得し、
第１のＡＰＮ情報が第２のＡＰＮ情報と異なり、かつ、対応するユーザが、ワイルドカードＡＰＮに加入している場合、第１のＡＰＮ情報に従って、対応するユーザのワイルドカードＡＰＮ加入構成を更新すること、を含む。
【０００９】
本発明の一実施形態は、ＡＰＮ加入構成更新装置を提供する。この装置は、
ネットワーク要素によって送信され、第１のＡＰＮ情報とＩＭＳＩとを運ぶ、更新要求メッセージを受信するように構成された、受信モジュールと、
ＩＭＳＩに従って、対応するユーザの第２のＡＰＮ情報を取得するように構成された、取得モジュールと、
第１のＡＰＮ情報が第２のＡＰＮ情報と異なり、かつ、対応するユーザが、ワイルドカードＡＰＮに加入している場合、第１のＡＰＮ情報に従って、対応するユーザのワイルドカードＡＰＮ加入構成を更新するように構成された、更新モジュールと、を含む。
【発明の効果】
【００１０】
本発明の実施形態は、以下の利点をもたらす。
【００１１】
本発明の実施形態では、ＨＳＳが、ネットワーク要素によって送信された、更新要求メッセージを受信し、更新要求メッセージ内のＩＭＳＩに従って、対応するユーザの第２のＡＰＮ情報を取得する。更新要求メッセージ内の第１のＡＰＮ情報が第２のＡＰＮ情報と異なり、かつ、対応するユーザがワイルドカードＡＰＮに加入している場合、ＨＳＳは第１のＡＰＮ情報に従って、ワイルドカードＡＰＮ加入構成を更新する。本発明の実施形態では、ＨＳＳはＡＰＮ加入構成を動的に作成する必要がなく、ＨＳＳとその他のネットワーク要素との間の、ＡＰＮ加入構成の同期に関連するシグナリング相互作用が大幅に減少し、ネットワークのデータ伝送性能が向上する。更に、ＨＳＳの不必要なオーバヘッドが減少する。
【００１２】
本発明による技術的解決法をより明確に説明するために、以下に、本発明の実施形態の説明に関連する添付の図面について説明する。以下に説明する添付の図面は明らかに例示的なものであり、網羅的なものではない。当業者は、いかなる創造的な活動も行うことなく、このような添付の図面から、その他の図面を導き出すことが可能である。
【図面の簡単な説明】
【００１３】
【図１】本発明の第１の実施形態における、ＡＰＮ加入構成の更新方法のフローチャートである。
【図２】本発明の第２の実施形態における、ＡＰＮ加入構成の更新方法のフローチャートである。
【図３】本発明の第２の実施形態における、ＡＰＮ加入構成の更新方法において、インターワーキング機能（ＩＷＦ）が追加された後の、接続関係を示す。
【図４】本発明の第３の実施形態における、ＡＰＮ加入構成の更新方法のフローチャートである。
【図５】本発明の第４の実施形態における、ＡＰＮ加入構成の更新方法のフローチャートである。
【図６】本発明の第１の実施形態における、ＡＰＮ加入構成の更新装置の構成を示す。
【図７】本発明の第２の実施形態における、ＡＰＮ加入構成の更新装置の構成を示す。
【図８】本発明の第３の実施形態における、ＡＰＮ加入構成の更新装置の構成を示す。
【図９】本発明の実施形態における、ＡＰＮ加入構成の更新システムの構成を示す。
【発明を実施するための形態】
【００１４】
本発明の理解を提供するために、添付の図面を参照して、以下に詳細な説明を行う。図面及び詳細な説明は明らかに、本発明の特定の実施形態を表すものにすぎず、実施形態は本質的に例示的なものであり、網羅的なものではない。本明細書において提供される実施形態から、当業者によって、いかなる創造的な活動も行うことなく導き出されることが可能な他の全ての実施形態が、本発明の保護範囲内に含まれる。
【００１５】
本発明による技術的解決法の目的、特徴、及び利点をより明確にするために、以下では、本発明の実施形態について、添付の図面を参照してより詳細に説明する。
【００１６】
図１に示すように、本発明の第１の実施形態で提供される方法は、以下のステップを含む。
【００１７】
ステップ１０１：ＨＳＳは、ネットワーク要素によって送信された更新要求メッセージを受信し、更新要求メッセージは、第１のＡＰＮ情報と、ＩＭＳＩとを運ぶ。
【００１８】
実際には、ＨＳＳは、ＨＳＳ及び／又はＨＬＲであってもよく、ネットワーク要素は、ＭＭＥ、ＳＧＳＮ、及び／又はＡＡＡサーバであってもよい。ＭＭＥ及びＳＧＳＮの更新要求メッセージは、Ｎｏｔｉｆｙ要求メッセージであってもよく、ＡＡＡサーバの更新要求メッセージは、非３ＧＰＰ  ＩＰ  Ｒｅｇｉｓｔｒａｔｉｏｎ要求メッセージであってもよい。第１のＡＰＮ情報は、更新対象のＰＤＮ  ＧＷに対応する。ＩＭＳＩは、ＨＳＳへの更新要求メッセージ内の、ユーザ名内で運ばれる。更新要求メッセージは、ＰＤＮ  ＧＷ情報を更に運んでもよいということに留意されたい。第１のＡＰＮ情報は、第１のＡＰＮ名であってもよい。
【００１９】
ステップ１０２：ＨＳＳは、ＩＭＳＩに従って、対応するユーザの第２のＡＰＮ情報を取得する。
【００２０】
ＨＳＳは、ＩＭＳＩに従って、対応する加入者に関する情報を取得してもよく、記憶された加入データ内の加入者の第２のＡＰＮ情報を照会し発見してもよい。第２のＡＰＮ情報は、第２のＡＰＮ名であってもよい。
【００２１】
ステップ１０３：ＨＳＳは、第１のＡＰＮ情報が第２のＡＰＮ情報と異なり、かつ、対応するユーザがワイルドカードＡＰＮに加入している場合、第１のＡＰＮ情報に従って、対応するユーザのワイルドカードＡＰＮ加入構成を更新する。
【００２２】
ＨＳＳは最初に、第１のＡＰＮ情報を第２のＡＰＮ情報と比較し、第１のＡＰＮ情報が第２のＡＰＮ情報と異なり、かつ、対応するユーザがワイルドカードＡＰＮに加入している場合、第１のＡＰＮ情報に従って、対応するユーザのワイルドカードＡＰＮ加入構成を更新する。
【００２３】
第１の実施形態では、ネットワーク要素によって送信される更新要求メッセージ内のパラメータ情報に従って、ユーザのワイルドカードＡＰＮ加入構成を更新することによって、ＨＳＳは、第１のＡＰＮ情報と、ＰＤＮ  ＧＷ情報とを、記憶又は削除することができる。ワイルドカードＡＰＮ加入構成を直接更新することによって、第１のＡＰＮ情報に特別な印を付ける必要がなくなり、ＨＳＳとその他のネットワーク要素との間の不必要なシグナリング相互作用が減少し、ネットワークのデータ伝送性能が向上する。更に、ワイルドカードＡＰＮ加入構成を更新する場合、ＨＳＳは、ＡＰＮ情報及びＰＤＮ  ＧＷ情報以外の、通常のＡＰＮ加入構成において必要とされていた情報（例えば、ＰＤＮタイプ、及びコンテキスト識別子）を作成する必要がなく、従って、ＨＳＳの不必要なオーバヘッドが更に減少する。
【００２４】
図２に示すように、本発明の第２の実施形態で提供される方法は、以下のステップを含む。
【００２５】
ステップ２０１：ＨＳＳは、ＭＭＥ及び／又はＳＧＳＮによって送信された、Ｎｏｔｉｆｙ要求メッセージを受信する。Ｎｏｔｉｆｙ要求メッセージは、第１のＡＰＮ情報と、ＰＤＮ  ＧＷ情報と、ＩＭＳＩとを運ぶ。
【００２６】
この実施形態では、ネットワーク要素はＭＭＥ及び／又はＳＧＳＮである。従って、ＭＭＥ及び／又はＳＧＳＮによって送信される更新要求メッセージは、Ｎｏｔｉｆｙ要求メッセージである。この実施形態におけるＮｏｔｉｆｙ要求メッセージは、ＰＤＮ  ＧＷ情報を運んでもよい。Ｎｏｔｉｆｙ要求メッセージの例を以下に示す。
【表１】
0004991969.tif 000002
【００２７】
ＨＳＳは、ＭＭＥ及び／又はＳＧＳＮによって送信された、更新要求メッセージを、ＩＷＦを介して受信することができる。ネットワークの発展プロセスにおいて、ＥＰＳネットワークと、汎用パケット無線サービス（ＧＰＲＳ）ネットワークとが、一時期共存する場合がある。ＥＰＳネットワークでは、ＭＭＥとＨＳＳとの間のＳ６ａインタフェースと、ＳＧＳＮとＨＳＳとの間のＳ６ｄインタフェースとの両方は、Ｄｉａｍｅｔｅｒプロトコルに基づく。ＧＰＲＳネットワークでは、ＳＧＳＮから、ＨＳＳ及び／又はＨＬＲへの、Ｇｒ／Ｇｒ＋インタフェースは、モバイルアプリケーションパート（ＭＡＰ）プロトコルに基づく。ＧＲＰＳネットワークに影響を及ぼすことなしに、ＧＰＲＳユーザがＥＰＳネットワーク内にローミングすることを可能にするために、Ｇｒ／Ｇｒ＋インタフェースのみをサポートするＨＳＳ／ＨＬＲと、ＭＭＥ及び／又はＳＧＳＮとの間に、ＩＷＦが追加されてもよい。接続図を図３に示す。
【００２８】
ＩＷＦは、ＭＡＰベースのＧｒインタフェースと、ＤｉａｍｅｔｅｒベースのＳ６ａインタフェースとの間でプロトコルを変換する。ＧＰＲＳユーザがＥＰＳ内にローミングする場合、ネットワーク要素はユーザの加入データを、古いＨＳＳ及び／又はＨＬＲからＩＷＦを介してダウンロードし、ユーザの位置を登録し、後続のサービスを処理することができる。ＭＡＰベースのＧｒインタフェースと、ＤｉａｍｅｔｅｒベースのＳ６ｄインタフェースとの間でプロトコルを変換するために、ＩＷＦは、ＤｉａｍｅｔｅｒベースのＳ６ｄインタフェースをサポートするＳＧＳＮと、ＨＳＳ及び／又はＨＬＲとの間に置かれてもよい。
【００２９】
具体的には、Ｎｏｔｉｆｙ要求メッセージを受信した場合、ＩＷＦはＮｏｔｉｆｙ要求メッセージをＭＡＰベースの位置更新メッセージに変換し、位置更新メッセージをＨＳＳ及び／又はＨＬＲに送信する。位置更新メッセージは、第１のＡＰＮ情報と、ＰＤＮ  ＧＷ情報と、ＩＭＳＩとを運んでもよい。
【００３０】
ステップ２０２：ＨＳＳは、ＩＭＳＩに従って、対応するユーザの第２のＡＰＮ情報を取得する。
【００３１】
ステップ２０３：第１のＡＰＮ情報が第２のＡＰＮ情報と異なり、かつ、対応するユーザが、ワイルドカードＡＰＮに加入している場合、ＨＳＳは対応するユーザのワイルドカードＡＰＮ加入構成に、ＡＰＮレコードを直接追加する。ＡＰＮレコードは、第１のＡＰＮ情報と、ＰＤＮ  ＧＷ情報とを含む。
【００３２】
具体的には、ＡＰＮレコードを含むワイルドカードＡＰＮ加入構成の例を以下に示す。
APN-Configuration::= <AVP header: XXX XXXX>
{ Context-Identifier }
* 2 [ Served-Party-IP-Address ]
{ PDN-Type }
{ Service-Selection}
[ EPS-Subscribed-QoS Profile ]
[ VPLMN-Dynamic-Address-Allowed ]
[ MIP6-Agent-Info ]
[ PDN-GW-Allocation-Type ]
[ 3GPP-Charging-Characteristics ]
[ AMBR ]
*[ Specific-APN-Info ]
*[ AVP ]
【００３３】
上記の例において、各属性値ペア（ＡＶＰ）パラメータの前の文字「＊」は、複数のそのようなＡＶＰパラメータが存在してもよいということを示し、Ｓｅｒｖｉｃｅ−Ｓｅｌｅｃｔｉｏｎの値が１つの「＊」文字である場合、それは、対応するＡＰＮ構成がワイルドカードＡＰＮ加入構成であることを示し、Ｓｐｅｃｉｆｉｃ−ＡＰＮ−Ｉｎｆｏは、新たに追加された第１のＡＰＮ情報と、その情報に対応するＰＤＮ  ＧＷとを含む。Ｓｐｅｃｉｆｉｃ−ＡＰＮ−Ｉｎｆｏの例を以下に示す。
Specific-APN-Info::= <AVP header: XXX XXXX>
{ Service-Selection}
[ MIP6-Agent-Info ]
[ Sub-Context-Identifier ]
*[ AVP ]
【００３４】
上記の例において、Ｓｅｒｖｉｃｅ−Ｓｅｌｅｃｔｉｏｎは、「ｗｗｗ．ｃｍｎｅｔ．ｃｏｍ」などの、第１のＡＰＮ情報を含み、ＭＩＰ６−Ａｇｅｎｔ−Ｉｎｆｏは、対応するＰＤＮ  ＧＷ情報を含み、必要に応じて、Ｓｕｂ−Ｃｏｎｔｅｘｔ−Ｉｄｅｎｔｉｆｉｅｒパラメータを含み、これは、タイプ及び機能に関して、ＡＰＮ−Ｃｏｎｆｉｇｕｒａｔｉｏｎ内のＣｏｎｔｅｘｔ−Ｉｄｅｎｔｉｆｉｅｒパラメータに類似しており、全てのＡＰＮ加入構成のうち、第１のＡＰＮ情報を一意に識別する。
【００３５】
ステップ２０４：ＨＳＳは、ＭＭＥ及び／又はＳＧＳＮ内のワイルドカードＡＰＮ加入構成を更新するために、ＭＭＥ及び／又はＳＧＳＮに、Ｎｏｔｉｆｙ応答メッセージを返す。Ｎｏｔｉｆｙ応答メッセージは、ＡＰＮレコードを含むワイルドカードＡＰＮ加入構成を運ぶ。
【００３６】
ＨＳＳは、ＡＰＮレコードを含むワイルドカードＡＰＮ加入構成を運ぶ、Ｉｎｓｅｒｔ  Ｓｕｂｓｃｒｉｂｅｒ  Ｄａｔａ  Ｒｅｑｕｅｓｔ（ＩＤＲ）メッセージを送信することによって、ＭＭＥ及び／又はＳＧＳＮ内のワイルドカードＡＰＮ加入構成を更新してもよい、ということに留意されたい。
【００３７】
あるいは、ＵＥによってアクセスされるＡＰＮにネットワークがＰＤＮ  ＧＷを割り当てた後、ＭＭＥ及び／又はＳＧＳＮはＨＳＳにＮｏｔｉｆｙメッセージを送信し、同時に、記憶されたワイルドカードＡＰＮ加入構成に、ＡＰＮと、対応するＰＤＮ  ＧＷ情報とを追加する。このようにして、ＨＳＳは、ＭＭＥ及び／又はＳＧＳＮのためのワイルドカードＡＰＮ加入データを更新する必要がなくなる。
【００３８】
ＨＳＳと、ＭＭＥ及び／又はＳＧＳＮとの間にＩＷＦが存在する場合、ＨＳＳはＩＷＦに、ＭＡＰベースの位置更新応答メッセージを送信してもよく、次いでＩＷＦは位置更新応答メッセージをＤｉａｍｅｔｅｒベースのＮｏｔｉｆｙ応答メッセージに変換し、それをＭＭＥ及び／又はＳＧＳＮに送信する。
【００３９】
ステップ２０５：ＨＳＳはＡＡＡサーバに、ワイルドカードＡＰＮ加入構成を運ぶＰｕｓｈ  Ｐｒｏｆｉｌｅ  Ｒｅｑｕｅｓｔ（ＰＰＲ）メッセージを送信する。ワイルドカードＡＰＮ加入構成は、ＡＰＮレコードを含む。
【００４０】
ＨＳＳがＡＡＡサーバに関する情報を記憶する場合、追加されたＡＰＮレコードに関する情報がＡＡＡサーバに更新される必要がある、ということに留意されたい。具体的には、ＨＳＳはＡＰＮレコードを更新するために、ＡＡＡサーバにＰＰＲメッセージを送信し、ＰＰＲメッセージはワイルドカードＡＰＮ加入構成（ＡＰＮ−Ｃｏｎｆｉｇｕｒａｔｉｏｎ）を運び、ＡＰＮ−Ｃｏｎｆｉｇｕｒａｔｉｏｎは追加されたＡＰＮレコードを含む。詳細については、ステップ２０３におけるデータを参照されたい。
【００４１】
ステップ２０６：ＡＡＡサーバは、受信されたワイルドカードＡＰＮ加入構成に従って、ＡＡＡサーバ内に記憶されたワイルドカードＡＰＮ加入構成を更新する。
【００４２】
この実施形態では、ＨＳＳと、ＭＭＥ及び又はＳＧＳＮとの間に、ＩＷＦが存在してもよい。この場合、この実施形態における方法は、ＥＰＳが、Ｒｅｌ−８のＳ６ａ又はＳ６ｄインタフェースをサポートしないＨＳＳ及び／又はＨＬＲと相互動作するシナリオにも適用可能である。ＨＳＳ及び／又はＨＬＲと、その他のネットワーク要素との間の相互作用が減少するため、ＨＳＳの性能が向上する。
【００４３】
図４に示すように、本発明の第３の実施形態で提供される方法は、以下のステップを含む。
【００４４】
ステップ４０１：ＨＳＳは、ＡＡＡサーバによって送信されたＲｅｇｉｓｔｒａｔｉｏｎ要求メッセージを受信する。Ｒｅｇｉｓｔｒａｔｉｏｎ要求メッセージは、第１のＡＰＮ情報と、ＰＤＮ  ＧＷ情報と、ＩＭＳＩとを運ぶ。
【００４５】
この実施形態では、更新要求メッセージは、Ｒｅｇｉｓｔｒａｔｉｏｎ要求メッセージである。
【００４６】
ステップ４０２：ＨＳＳは、ＩＭＳＩに従って、対応するユーザの第２のＡＰＮ情報を取得する。
【００４７】
ステップ４０３：第１のＡＰＮ情報が第２のＡＰＮ情報と異なり、かつ、対応するユーザがワイルドカードＡＰＮに加入している場合、ＨＳＳは、ＩＭＳＩに対応するユーザのワイルドカードＡＰＮ加入構成に、ＡＰＮレコードを直接追加する。ＡＰＮレコードは、第１のＡＰＮ情報と、ＰＤＮ  ＧＷ情報とを含む。
【００４８】
ＡＰＮレコードを含むワイルドカードＡＰＮ加入構成の例を以下に示す。
APN-Configuration::= <AVP header: XXX XXXX>
{ Context-Identifier }
* 2 [ Served-Party-IP-Address ]
{ PDN-Type }
{ Service-Selection}
[ EPS-Subscribed-QoS Profile ]
[ VPLMN-Dynamic-Address-Allowed ]
[ MIP6-Agent-Info ]
[ PDN-GW-Allocation-Type ]
[ 3GPP-Charging-Characteristics ]
[ AMBR ]
*[ Specific-APN-Info ]
*[ AVP ]
【００４９】
上記の例において、各ＡＶＰパラメータの前の文字「＊」は、複数のそのようなＡＶＰパラメータが存在してもよいということを示し、Ｓｅｒｖｉｃｅ−Ｓｅｌｅｃｔｉｏｎの値が１つの「＊」文字である場合、それはデータがワイルドカードＡＰＮ加入構成であることを示し、Ｓｐｅｃｉｆｉｃ−ＡＰＮ−Ｉｎｆｏは、新たに追加された第１のＡＰＮ情報と、その情報に対応するＰＤＮ  ＧＷとを含む。Ｓｐｅｃｉｆｉｃ−ＡＰＮ−Ｉｎｆｏの例を以下に示す。
Specific-APN-Info::= <AVP header: XXX XXXX>
{ Service-Selection}
[ MIP6-Agent-Info ]
[ Sub-Context-Identifier ]
*[ AVP ]
【００５０】
上記の例において、Ｓｅｒｖｉｃｅ−Ｓｅｌｅｃｔｉｏｎは、「ｗｗｗ．ｃｍｎｅｔ．ｃｏｍ」などの、第１のＡＰＮ情報を含む。ＭＩＰ６−Ａｇｅｎｔ−Ｉｎｆｏは、対応するＰＤＮ  ＧＷ情報を含み、必要に応じて（オプションとして）Ｓｕｂ−Ｃｏｎｔｅｘｔ−Ｉｄｅｎｔｉｆｉｅｒパラメータを含み、これは、タイプ及び機能に関して、ＡＰＮ−Ｃｏｎｆｉｇｕｒａｔｉｏｎ内のＣｏｎｔｅｘｔ−Ｉｄｅｎｔｉｆｉｅｒパラメータに類似しており、全てのＡＰＮ加入構成のうち第１のＡＰＮ情報を一意に識別する。
【００５１】
ステップ４０４：ＨＳＳはＡＡＡサーバにｒｅｇｉｓｔｒａｔｉｏｎ応答メッセージを送信する。
【００５２】
ＨＳＳによってＡＡＡサーバに送信されるｒｅｇｉｓｔｒａｔｉｏｎ応答メッセージは、ＡＡＡサーバ内のワイルドカードＡＰＮ加入構成を更新するために、ＡＰＮレコードを含むワイルドカードＡＰＮ加入構成を運ぶことができる。
【００５３】
ＨＳＳは、ＡＡＡサーバ内のワイルドカードＡＰＮ加入構成を更新するために、ＡＰＮレコードを含むワイルドカードＡＰＮ加入構成を運ぶ、ＰＰＲメッセージを送信することができる。
【００５４】
あるいは、ＵＥによってアクセスされるＡＰＮにネットワークがＰＤＮ  ＧＷを割り当てた後、ＡＡＡサーバはＨＳＳにＲｅｇｉｓｔｒａｔｉｏｎ要求メッセージを送信し、同時に、ＨＳＳ内に記憶されたワイルドカードＡＰＮ加入構成に、ＡＰＮ情報と、対応するＰＤＮ  ＧＷ情報とを追加する。このように、ＨＳＳは、ＡＡＡサーバのためのワイルドカードＡＰＮ加入構成を別個に更新する必要がなくなる。
【００５５】
ステップ４０５：ＨＳＳは、ＭＭＥ及び／又はＳＧＳＮに、ワイルドカードＡＰＮ加入構成を運ぶＩＤＲメッセージを送信する。ワイルドカードＡＰＮ加入構成は、ＡＰＮレコードを含む。
【００５６】
ＨＳＳがＭＭＥ及び／又はＳＧＳＮに関する情報を記憶する場合、ＨＳＳは、ＭＭＥ及び／又はＳＧＳＮに、ワイルドカードＡＰＮ加入構成を運ぶＩＤＲメッセージを送信してもよく、このとき、ワイルドカードＡＰＮ加入構成は、追加されたＡＰＮレコードを含む。
【００５７】
ステップ４０６：ＭＭＥ及び／又はＳＧＳＮは、受信されたワイルドカードＡＰＮ加入構成に従って、ＭＭＥ及び／又はＳＧＳＮ内に記憶された、記憶されたワイルドカードＡＰＮ加入構成を更新する。
【００５８】
この実施形態では、ＨＳＳが、ＡＡＡサーバによって送信されたＲｅｇｉｓｔｒａｔｉｏｎ要求メッセージ内のパラメータに従って、加入者のワイルドカードＡＰＮ加入構成に、対応するＡＰＮレコードを直接追加する。ＨＳＳがＭＭＥ及び／又はＳＧＳＮに関する情報を記憶する場合、ＨＳＳは、ＭＭＥ及び／又はＳＧＳＮに、ワイルドカードＡＰＮ加入構成を運ぶＩＤＲメッセージを送信する。このようにして、ＭＭＥ及び／又はＳＧＳＮは、記憶されたＡＰＮ加入構成を更新することが可能になる。
【００５９】
図５に示すように、本発明の第４の実施形態で提供される方法は、以下のステップを含む。
【００６０】
ステップ５０１：ＨＳＳは、ＡＡＡサーバによって送信された、Ｒｅｇｉｓｔｒａｔｉｏｎ要求メッセージを受信する。Ｒｅｇｉｓｔｒａｔｉｏｎ要求メッセージは、第１のＡＰＮ情報と、ＩＭＳＩとを運ぶ。
【００６１】
ステップ５０２：ＨＳＳは、ＩＭＳＩに従って、対応するユーザの第２のＡＰＮ情報を取得する。
【００６２】
ステップ５０３：第１のＡＰＮ情報が第２のＡＰＮ情報と異なる場合、ＨＳＳは、対応するユーザのワイルドカードＡＰＮ加入構成が、ＡＰＮレコードを含むかどうかを判定する。ＡＰＮレコードを含む場合、手順はステップ５０４に進み、含まない場合、手順はステップ５０５に進む。
【００６３】
ステップ５０４：ＨＳＳは、ＩＭＳＩに対応するユーザのワイルドカードＡＰＮ加入構成から、ＡＰＮレコードを直接削除する。ＡＰＮレコードは、第１のＡＰＮ情報と、対応するＰＤＮ  ＧＷ情報とを含む。
【００６４】
ステップ５０５：ＨＳＳは、ＡＡＡサーバに、ｒｅｇｉｓｔｒａｔｉｏｎ応答メッセージを送信する。
【００６５】
ＨＳＳによってＡＡＡサーバに送信されるｒｅｇｉｓｔｒａｔｉｏｎ応答メッセージは、ＡＡＡサーバ内のワイルドカードＡＰＮ加入構成を更新するために、ＡＰＮレコードを含まないワイルドカードＡＰＮ加入構成を運んでもよい。
【００６６】
ＨＳＳは、ＡＡＡサーバ内のワイルドカードＡＰＮ加入構成を更新するために、ＡＰＮレコードを含まないワイルドカードＡＰＮ加入構成を運ぶＰＰＲメッセージを送信してもよい、ということに留意されたい。
【００６７】
あるいは、ＵＥが切り離された、又は対応するＰＤＮ接続が切断された後の、対応するＰＤＮ  ＧＷの削除時に、ＡＡＡサーバは、ワイルドカードＡＰＮ加入構成内にＡＰＮが記憶されていることを発見できるので、記憶されたワイルドカードＡＰＮ加入構成から、ＡＰＮと、対応するＰＤＮ  ＧＷとを削除する。このようにして、ＨＳＳは、ＡＡＡサーバのためのワイルドカードＡＰＮを別個に更新する必要がなくなる。
【００６８】
ステップ５０６：ＨＳＳは、ＭＭＥ及び／又はＳＧＳＮに、ワイルドカードＡＰＮ加入構成を運ぶＩＤＲメッセージを送信する。ワイルドカードＡＰＮ加入構成は、ＡＰＮレコードを含まない。
【００６９】
ＨＳＳがＭＭＥ及び／又はＳＧＳＮに関する情報を記憶する場合、ＨＳＳは、ＭＭＥ及び／又はＳＧＳＮ内の対応する情報を更新するために、ＭＭＥ及び／又はＳＧＳＮに、ワイルドカードＡＰＮ加入構成を運ぶＩＤＲメッセージを送信してもよい。
【００７０】
ステップ５０７：ＭＭＥ及び／又はＳＧＳＮは、受信されたワイルドカードＡＰＮ加入構成に従って、記憶されたＡＰＮ加入データを削除する。
【００７１】
この実施形態では、Ｒｅｇｉｓｔｒａｔｉｏｎ要求メッセージは、ＰＤＮ  ＧＷ情報を含まない。ＨＳＳは、対応するユーザのワイルドカードＡＰＮ加入構成がＡＰＮレコードを含むと判断した場合、第１のＡＰＮ情報に従って、対応するＡＰＮレコードを削除する必要がある。ＡＰＮレコードは、第１のＡＰＮ情報と、対応するＰＤＮ  ＧＷ情報とを含む。削除情報はＩＤＲメッセージを介してＭＭＥ及び／又はＳＧＳＮに通知されてもよく、これにより、ＭＭＥ及び／又はＳＧＳＮは、ＭＭＥ及び／又はＳＧＳＮ内に記憶された記憶データを、同期して削除することが可能である。
【００７２】
上記の方法の実施形態において説明を容易にするために、各方法は一連の操作として記載されたということに留意されたい。操作は順序の影響を受けるものではなく、他の順序で実行されてもよく、又は、同時に実行されてもよい、ということは当業者にとって明らかである。加えて、本明細書に記載された実施形態は例示的実施形態であり、含まれる操作及びモジュールは必須ではない、ということを当業者は認識している。
【００７３】
上述の方法に対応して、ＡＰＮ加入構成更新装置が、本発明の一実施形態において提供される。図６に示すように、本発明の第１の実施形態で提供される装置は、受信モジュール６０１と、取得モジュール６０２と、更新モジュール６０３とを含んでもよい。
【００７４】
受信モジュール６０１は、ネットワーク要素によって送信された、更新要求メッセージを受信するように構成され、更新要求メッセージは、第１のＡＰＮ情報と、ＩＭＳＩとを運ぶ。
【００７５】
この実施形態では、装置はＨＳＳ内に組み込まれることができるか、又はＨＳＳであり、更新要求メッセージは、ＰＤＮ  ＧＷ情報を更に運んでもよく、第１のＡＰＮ情報は、第１のＡＰＮ名であってもよい。
【００７６】
取得モジュール６０２は、ＩＭＳＩに従って、対応するユーザの第２のＡＰＮ情報を取得するように構成される。
【００７７】
取得モジュール６０２は、ＩＭＳＩに従って対応する加入者を取得し、ＨＳＳ内に記憶された加入データ内の、加入者の第２のＡＰＮ情報を、照会及び発見する。第２のＡＰＮ情報は、第２のＡＰＮ名であってもよい。
【００７８】
更新モジュール６０３は、第１のＡＰＮ情報が第２のＡＰＮ情報と異なり、かつ、対応するユーザがワイルドカードＡＰＮに加入している場合、第１のＡＰＮ情報に従って、対応するユーザのワイルドカードＡＰＮ加入構成を更新するように構成される。
【００７９】
ＨＳＳは、ＨＳＳ及び／又はＨＬＲを含んでもよく、受信モジュール５０１は、ネットワーク要素から、ＩＷＦを介して、更新要求メッセージを受信するように更に構成され、本装置は、ＨＳＳ内に組み込まれてもよく、又はＨＳＳであってもよい、ということに留意されたい。
【００８０】
この実施形態では、受信モジュール６０１によって受信されたＩＭＳＩに従って、取得モジュール６０２が対応するユーザの第２のＡＰＮ情報を取得し、更新モジュール６０３が、第２のＡＰＮ情報が第１のＡＰＮ情報と異なり、かつ、対応するユーザが、ワイルドカードＡＰＮに加入している場合、対応するユーザのワイルドカードＡＰＮ加入構成を更新する。この実施形態では、第１のＡＰＮ情報に特別な印を付けることを回避するために、ワイルドカードＡＰＮ加入構成が直接更新されることが可能である。これにより、ＨＳＳとその他のネットワーク要素との間の不必要なシグナリング相互作用が減少し、ネットワークのデータ伝送性能が向上し、ＨＳＳの不必要なオーバヘッドが減少する。
【００８１】
上述の第２の方法の実施形態に対応する、第２の装置の実施形態を、図７に示す。この装置は、受信モジュール７０１と、取得モジュール７０２と、取得サブモジュール７０３と、追加サブモジュール７０４と、第２の送信モジュール７０５と、第３の送信モジュール７０６とを含む。
【００８２】
受信モジュール７０１は、ＭＭＥ及び／又はＳＧＳＮによって送信された更新要求メッセージを、ＩＷＦを介して受信するように構成される。更新要求メッセージは、第１のＡＰＮ情報と、ＰＤＮ  ＧＷ情報と、ＩＭＳＩとを運ぶ。
【００８３】
ネットワーク要素は、ＭＭＥ及び／又はＳＧＳＮである。従って、ＭＭＥ及び／又はＳＧＳＮによって送信される更新要求メッセージは、Ｎｏｔｉｆｙ要求メッセージであり、この実施形態におけるＮｏｔｉｆｙ要求メッセージは、ＰＤＮ  ＧＷ情報を更に運ぶことができる。
【００８４】
具体的には、Ｎｏｔｉｆｙ要求メッセージを受信した後、ＩＷＦはＮｏｔｉｆｙ要求メッセージをＭＡＰベースの位置更新メッセージに変換し、位置更新メッセージをＨＳＳ及び／又はＨＬＲに送信する。位置更新メッセージは、第１のＡＰＮ情報と、ＰＤＮ  ＧＷ情報と、ＩＭＳＩとを運んでもよい。
【００８５】
この実施形態では、ネットワーク要素は、ＭＭＥ及び／又はＳＧＳＮであり、更新要求メッセージは、Ｎｏｔｉｆｙ要求メッセージである。
【００８６】
取得モジュール７０２は、ＩＭＳＩに従って、対応するユーザの第２のＡＰＮ情報を取得するように構成される。
【００８７】
取得サブモジュール７０３は、対応するユーザのワイルドカードＡＰＮ加入構成を取得するように構成される。
【００８８】
追加サブモジュール７０４は、ワイルドカードＡＰＮ加入構成に、ＡＰＮレコードを直接追加するように構成され、このＡＰＮレコードは、第１のＡＰＮ情報と、ＰＤＮ  ＧＷ情報とを含む。
【００８９】
第２の送信モジュール７０５は、ＡＡＡサーバに、ワイルドカードＡＰＮ加入構成を運ぶＰＰＲメッセージを送信するように構成され、このワイルドカードＡＰＮ加入構成は、ＡＰＮレコードを含む。
【００９０】
第３の送信モジュール７０６は、ＭＭＥ及び／又はＳＧＳＮに、ワイルドカードＡＰＮ加入構成を運ぶＮｏｔｉｆｙ応答メッセージを送信するように構成される。
【００９１】
この実施形態では、受信モジュール７０１が、ＭＭＥ及び／又はＳＧＳＮから、ＩＷＦを介して更新要求メッセージを受信し、従って、この実施形態における装置はＩＷＦが存在するシナリオにおいて更に適用可能であり、ＡＰＮレコードはＩＷＦによって転送されるメッセージに従って動的に作成されることが可能であり、ネットワークのデータ伝送性能が向上する。
【００９２】
上述の第４の方法の実施形態に対応する第３の装置の実施形態を、図８に示す。この装置は、受信モジュール８０１と、取得モジュール８０２と、判定サブモジュール８０３と、削除サブモジュール８０４と、第１の送信モジュール８０５と、第４の送信モジュール８０６とを含んでもよい。
【００９３】
受信モジュール８０１は、ＡＡＡサーバによって送信された、Ｒｅｇｉｓｔｒａｔｉｏｎ要求メッセージを受信するように構成され、このＲｅｇｉｓｔｒａｔｉｏｎ要求メッセージは、第１のＡＰＮ情報と、ＩＭＳＩとを運ぶ。
【００９４】
この実施形態では、ネットワーク要素はＡＡＡサーバであり、更新要求メッセージはＲｅｇｉｓｔｒａｔｉｏｎ要求メッセージである。
【００９５】
取得モジュール８０２は、ＩＭＳＩに従って、対応するユーザの第２のＡＰＮ情報を取得するように構成される。
【００９６】
判定サブモジュール８０３は、第１のＡＰＮ情報が第２のＡＰＮ情報と異なり、かつ、対応するユーザが、ワイルドカードＡＰＮに加入している場合、対応するユーザのワイルドカードＡＰＮ加入構成がＡＰＮレコードを含むかどうかを判定するように構成される。
【００９７】
削除サブモジュール８０４は、判定サブモジュールが、ワイルドカードＡＰＮ加入構成がＡＰＮレコードを含むと判断した場合、ワイルドカードＡＰＮ加入構成からＡＰＮレコードを直接削除するように構成され、このＡＰＮレコードは、第１のＡＰＮ情報と、ＰＤＮ  ＧＷ情報とを含む。
【００９８】
第１の送信モジュール８０５は、ＭＭＥ及び／又はＳＧＳＮに、ＡＰＮ加入構成を運ぶＰＰＲメッセージを送信するように構成され、このＡＰＮ加入構成は、ＡＰＮレコードを含む。
【００９９】
第４の送信モジュール８０６は、ＡＡＡサーバに、ワイルドカードＡＰＮ加入構成を運ぶｒｅｇｉｓｔｒａｔｉｏｎ応答メッセージを送信するように構成される。
【０１００】
この実施形態では、受信モジュール８０１によって受信された第１のＡＰＮ情報が、ＨＳＳ内に記憶された第２のＡＰＮ情報と異なる場合、対応する加入者の、記憶されたワイルドカードＡＰＮ加入構成に、新たなＡＰＮレコードが追加されることができ、加入構成は、他のネットワーク要素内に記憶された情報を更新するために、他のネットワーク要素に送信されることができる。これにより、ＨＳＳの性能が向上し、ＨＳＳの不必要なオーバヘッドが減少する。
【０１０１】
上記の方法実施形態及び装置実施形態に対応して、ＡＰＮ加入構成更新システムが、本発明の一実施形態において提供される。図９に示すように、このシステムは、
ＡＰＮ加入構成更新装置に、第１のＡＰＮパラメータとＰＤＮ  ＧＷ情報と、ＩＭＳＩとを運ぶ更新要求メッセージを送信するように構成された、ネットワーク要素９０１と、
ＩＭＳＩに従って、対応するユーザの第２のＡＰＮ情報を取得し、第１のＡＰＮ情報が第２のＡＰＮ情報と異なり、かつ、対応するユーザが、ワイルドカードＡＰＮに加入している場合、第１のＡＰＮ情報に従って、対応するユーザのワイルドカードＡＰＮ加入構成を更新するように構成された、ＡＰＮ加入構成更新装置９０２と、を含んでもよい。
【０１０２】
ＡＰＮ加入構成更新装置９０２は、
ネットワーク要素によって送信された、第１のＡＰＮ情報とＩＭＳＩとを運ぶ更新要求メッセージを受信するように構成された、受信モジュールと、
ＩＭＳＩに従って、対応するユーザの第２のＡＰＮ情報を取得するように構成された、取得モジュールと、
第１のＡＰＮ情報が第２のＡＰＮ情報と異なり、かつ、対応するユーザが、ワイルドカードＡＰＮに加入している場合、第１のＡＰＮ情報に従って、対応するユーザのワイルドカードＡＰＮ加入構成を更新するように構成された、更新モジュールと、を含んでもよい。
【０１０３】
ＡＰＮ加入構成の更新方法及び装置については上記で詳細に説明しており、同じ原理が、ＡＰＮ加入構成更新システムに適用可能であるため、ＡＰＮ加入構成更新システムについて更に説明することはしない。
【０１０４】
本明細書の記載における、「第１の」及び「第２の」のような用語は、１つのエンティティ（実体）又は操作を、別のエンティティ又は操作から区別するために使用されるものであり、エンティティ又は操作が、いかなる実際の関係又は順序で配列されることも意味しない。更に、用語「含む」、「備える」、及びその任意の変形は、「含むがそれに限定されない」ことを意味する。従って、一連の要素を含むプロセス、方法、物体、又は装置の文脈において、そのプロセス、方法、物体、又は装置は、そのような要素を含むのみでなく、本明細書で指定されていない他の要素も含み、かつ、そのプロセス、方法、物体、又は装置の、固有の要素を含んでもよい。特に明記しない限り、「含む」、又は「備える」の文脈において、指定された要素を含むプロセス、方法、物体、又は装置は、同質の他の要素を含んでもよい。
【０１０５】
本発明による、ＡＰＮ加入構成の更新方法及び装置について、上記で説明した。本発明について、いくつかの例示的実施形態を介して説明したが、本発明は、これらのような実施形態に限定されない。当業者が、本発明の精神及び範囲から逸脱することなく、本発明に対して修正及び変形を行うことが可能であることは明らかである。本発明は、それらの修正及び変形が、添付の特許請求の範囲又はその均等物によって規定される保護範囲内に入るならば、それらの修正及び変形を包含することを意図するものである。
【図１】
0004991969.tif 000003
【図２】
0004991969.tif 000004
【図３】
0004991969.tif 000005
【図４】
0004991969.tif 000006
【図５】
0004991969.tif 000007
【図６】
0004991969.tif 000008
【図７】
0004991969.tif 000009
【図８】
0004991969.tif 000010
【図９】
0004991969.tif 000011